(57)【要約】【課題】ユーザの意向に沿ってアイコン表示及び選択設定することが可能で、操作性のよい表示操作装置を提供する。【解決手段】種々のアイコンを記憶保持するアイコン画像記憶手段４ａと、装置の稼動に必要なガイド情報、機能情報を表示する表示部７と、上記アイコン画像記憶手４ａ段から所望のアイコンを選択的に読み出して、上記表示部７に表示した機能情報に割り付ける表示操作制御部１と、この表示操作制御部１で割り付けた情報をアイコン付き機能情報として記憶保持する記憶手段とを備えている。【選択図】図３
2005143035.tif 000002
【特許請求の範囲】
【請求項１】
種々のアイコンを記憶保持するアイコン画像記憶手段と、装置の稼動に必要なガイド情報、機能情報を表示する表示部と、上記アイコン画像記憶手段から所望のアイコンを選択的に読み出して、上記表示部に表示した機能情報に割り付ける表示操作制御部と、この表示操作制御部で割り付けた情報をアイコン付き機能情報として記憶保持するアイコン割付情報記憶手段とを備えた表示操作装置。
【請求項２】
請求項１において、
上記表示部は、専用ペンを表示窓へ接触させれば検知して入力を行わせるペンタブレット機能を有し、上記表示操作制御部は、その専用ペンによって入力された画像を上記アイコンとして、上記アイコン画像記憶手段に記憶保持する構成としている表示操作装置。
【請求項３】
請求項１において、
スキャナを有し、上記表示操作制御部は、このスキャナによって取り込んだ画像を、上記アイコンとして、上記アイコン画像記憶手段に記憶保持する構成としている表示操作装置。
【発明の詳細な説明】
【技術分野】
【０００１】
本発明は、ファクシミリ装置やコピー装置などを含む通信機器などに好適に適用される表示操作装置に関する。
【背景技術】
【０００２】
従来、ファクシミリ装置やコピー装置などを含む通信機器の表示部には、所定機能等を視覚的に簡単に表現したアイコンを表示させる下記特許文献１に示すような表示操作装置が広く使用されている。このようなアイコン表示は、ユーザにとっては馴染みやすいものであり、操作性の向上が期待できる機能である。
【特許文献１】特開平７−１３１５７８号公報
【発明の開示】
【発明が解決しようとする課題】
【０００３】
しかしながら、上記特許文献１は、主に操作方法を示すガイダンスの画像パターンをユーザの任意で変更設定可能というものであり、例えば機能メニューや登録されている複数のワンタッチダイヤルキーに対応させたものではない。
【０００４】
本発明は、このような事情に鑑みてなされたものであり、よりユーザの意向に沿ってアイコン表示及び選択設定することが可能で、操作性のよい表示操作装置を提供することを目的としている。
【課題を解決するための手段】
【０００５】
上記目的を達成するために提案される請求項１では、種々のアイコンを記憶保持するアイコン画像記憶手段と、装置の稼動に必要なガイド情報、機能情報を表示する表示部と、上記アイコン画像記憶手段から所望のアイコンを選択的に読み出して、上記表示部に表示した機能情報に割り付ける表示操作制御部と、この表示操作制御部で割り付けた情報をアイコン付き機能情報として記憶保持するアイコン割付情報記憶手段とを備えた表示操作装置を提案する。
【０００６】
ここで、表示部に表示する機能情報は、ワンタッチダイヤル、短縮ダイヤル、マルチショット、１セット２コピーなどをいい、登録ダイヤル毎、機能メニュー毎にアイコンを割り付けることができる。
【０００７】
請求項２では上記において、上記表示部は、専用ペンを表示窓へ接触させれば検知して入力を行わせるペンタブレット機能を有し、上記表示操作制御部は、その専用ペンによって入力された画像を上記アイコンとして、上記アイコン画像記憶手段に記憶保持する構成としている表示操作装置を提案する。
【０００８】
請求項３では上記において、スキャナを有し、上記表示操作制御部は、このスキャナによって取り込んだ画像を、上記アイコンとして、上記アイコン画像記憶手段に記憶保持する構成としている表示操作装置を提案する。
【発明の効果】
【０００９】
請求項１に記載の発明によれば、複数のアイコンの中から所望のアイコンを選択設定できるので、ユーザの好みでアイコンを設定でき、操作性の向上が期待できる。
【００１０】
請求項２に記載の発明によれば、アイコン自体をユーザが手書きで作成することができるので、よりユーザの希望に合ったアイコンを設定できる。
【００１１】
請求項３に記載の発明によれば、ユーザが所望する画像を取り込んで設定できるので、よりユーザの希望に合ったアイコンを設定できる。
【発明を実施するための最良の形態】
【００１２】
以下に、本発明の実施の形態について説明する。
【００１３】
図１は、本発明の表示操作装置Ｆの基本構成の一例を示すブロック図である。
【００１４】
なお、ここでは表示操作装置Ｆの一例としてファクシミリ装置を示しているが、コピー装置や複合機であってもよい。
【００１５】
図中、１は以下の各部を制御するＣＰＵ等で構成された制御部、２は通信回線への網制御を行うＮＣＵ、３は画像データをファクシミリ通信するために信号の変調・復調を行うモデム、４は制御プログラムを記憶しているＲＯＭ、５は可変情報や印字出力情報を記憶するＲＡＭ、６は原稿を読み取る読取部、７は液晶画面等で構成され、装置の稼動に必要なガイド情報、機能情報を表示する表示部、８はテンキーや各種スイッチ、表示画面上のタッチスイッチ等で構成された操作部、１０は画像を取り込むことができるスキャナ、１１は画像データ等を記録紙出力するプリンタ部である。
【００１６】
本発明の特徴は、各操作に応じて、表示部７に必要な機能情報を、ユーザが作成入力したアイコンを付加して表示させる点にある。
【００１７】
このために、制御部１は表示操作制御部として、機能情報を表示部７に表示させるときには、上記アイコン割付情報記憶手段５ｂであるＲＡＭ５の領域を参照してその機能情報に割り付けられているアイコンを特定し、アイコン画像記憶手段５ａであるＲＡＭ５の領域から所望のアイコン画像を読み出して、アイコン付き機能情報として、その機能情報を表示部７に表示させる。これによれば、複数のアイコンの中から所望のアイコンを選択設定できるので、ユーザの好みでアイコンを設定でき、操作性の向上が期待できる。
【００１８】
ＲＡＭ５は、上記のように種々のアイコン画像を記憶保持するアイコン画像記憶手段５ａとアイコン割付情報記憶手段５ｂとして、それら各々へ専用の領域を割り当てられている。前者のアイコン画像記憶手段５ａには、専用ペンで手書き入力された画像やスキャナ１０によって取り込んだ画像もアイコンとして記憶保持する。後者のアイコン割付情報記憶手段５ｂは、各アイコンがどの機能情報へ割付られているかというアイコン割付情報を記憶保持する。
【００１９】
なお、この実施例ではアイコン画像記憶手段５ａと、アイコン割付情報記憶手段５ｂとをＲＡＭ５の領域に割り当てているが、ＲＯＭ４を書換可能なＥＥＰＲＯＭとして、そこにアイコン割付情報記憶手段５ｂとをＲＡＭ５の領域を割り当てれば、電源切断後再投入しても、アイコン画像やアイコン割付情報が維持されているので、使い勝手が向上する。
【００２０】
表示部７は、機能情報を表示する外、専用ペン２０の表示窓への接触を検知して入力を行わせるペンタブレットとしての機能も有している。
【００２１】
ここで、アイコン表示を選択設定させて、その情報をアイコン割付情報記憶手段５ｂへ記憶させる動作を説明する。
【００２２】
図２は、本発明の表示操作装置Ｆのアイコン表示例を示した図である。図２に示すように、機能メニューの機能表示（とじしろ、枠消去等）と並んで所望のアイコン（星マーク、卵型マーク等）を表示する。
【００２３】
図３は、本発明の表示操作装置Ｆにおいて、アイコン表示を選択設定する操作表示例を示した図である。ここでは、例として短縮ダイヤル登録をする際、同時にアイコンの選択設定できる画面を示しており、液晶画面のタッチスイッチで構成された表示部７を示している。
【００２４】
図３（ａ）は、「０１」の短縮ダイヤルに「１２３４５６７８９」というダイヤル番号を入力し、「アイコン選択」をセットキーした画面を示している。この「アイコン選択」キーをタッチすると、図３（ｂ）のアイコン選択画面に切り替わる。ここで示されているアイコンはこれに限られない。この中のユーザの好みのアイコンをタッチすれば、図３（ｃ）（ｄ）に示すように、短縮ダイヤル「０１」と所望するアイコンが対応付けられ、そのアイコン割付情報がアイコン割付情報記憶手段５ｂに記憶される。
【００２５】
次にアイコン画像の作成入力の動作を説明する。
【００２６】
上述の図３（ｂ）に表示されたアイコンの中にも所望するアイコンがない場合は、「他のアイコン選択」キーをタッチすると、表示部７には、専用ペン２０によるアイコン画像編集画面が表示されて、ユーザによるアイコン画像の作成、編集が可能になる。
【００２７】
図４は、本発明の表示操作装置Ｆにおいて、表示部７へ専用ペン２０により描いたアイコンのイメージ図である。
【００２８】
このように、ユーザが自分の所望するアイコン画像描かせたのち、その画像をアイコン画像記憶手段５ａに保存する。図４（ａ）（ｂ）には、例として、表示部７に表示された１６×１６の枠の画面上の各マスを、専用ペン２０で押えると黒になり、もう一度押すと白になる構成のものを示している。
【００２９】
なお、表示装置に外部タブレットをＵＳＢ等で接続可能にすれば、外部タブレットでアイコン画像を作成、編集してその画像をアイコン画像記憶手段５ａに保存させることも可能である。
【図面の簡単な説明】
【００３０】
【図１】本発明の表示操作装置の基本構成の一例を示す。
【図２】本発明の表示操作装置のアイコン表示例を示した図である。
【図３】本発明の表示操作装置のアイコン設定登録画面の表示例を示した図である。
【図４】表示部に専用ペンで描いたアイコンのイメージ図である。
【符号の説明】
【００３１】
Ｆ    表示操作装置
１    制御部
２    ＮＣＵ
３    モデム
４    ＲＯＭ
５    ＲＡＭ
５ａ  アイコン画像記憶手段
５ｂ  アイコン割付情報記憶手段
６    読取部
７    表示部
８    操作部
９    入力部
１０  スキャナ
１１  プリンタ
２０  専用ペン
【図１】
2005143035.tif 000003
【図２】
2005143035.tif 000004
【図３】
2005143035.tif 000005
【図４】
2005143035.tif 000006